(57)【要約】      （修正有）【課題】録画装置を買い換えることなく機能の変更を可能にする録画システムを提供する。【解決手段】各番組の番組ＩＤ、ならびに番組ＩＤに対応付けられた番組名、番組開始時刻、番組終了時刻およびチャンネル情報を含む番組データを蓄積する番組ＤＢ部、番組ＩＤを抽出する番組抽出部、抽出された番組ＩＤに基づいて抽出情報を、端末装置に送信制御する抽出情報制御部、ならびに番組ＩＤに対応する番組データのうち、チャンネル情報、番組開始時刻および番組終了時刻を含む録画予約情報を、番組ＤＢ部から読み出し、ケーブルテレビ網を介して送出制御する録画予約制御部を有する集中管理装置と、集中管理装置からケーブルテレビ網を介して受信した録画予約情報を蓄え録画予約を行なう録画予約部、および録画予約部の制御により録画された録画データを収録する収録部を有する録画装置と、を備える。【選択図】  図１
2007081464.tif 000002
【特許請求の範囲】
【請求項１】
ユーザが操作する端末装置から電気通信網を介して受信した録画予約の指示により、番組の録画を行なう録画システムであって、
各番組の番組ＩＤ、ならびに前記番組ＩＤに対応付けられた番組名、番組開始時刻、番組終了時刻およびチャンネル情報を含む番組データを蓄積する番組ＤＢ部、前記端末装置から受信した情報に基づき前記番組ＤＢ部から前記番組ＩＤを抽出する番組抽出部、前記抽出された番組ＩＤに基づいて抽出情報を、前記端末装置に送信制御する抽出情報制御部、ならびに前記端末装置において前記抽出情報からユーザが選択した番組ＩＤに対応する前記番組データのうち、チャンネル情報、番組開始時刻および番組終了時刻を含む録画予約情報を、前記番組ＤＢ部から読み出し、ケーブルテレビ網を介して送出制御する録画予約制御部を有する集中管理装置と、
前記集中管理装置からケーブルテレビ網を介して受信した前記録画予約情報を蓄え、録画予約を行なう録画予約部、および前記録画予約部の制御により録画された録画データを収録する収録部を有する録画装置と、を備えることを特徴とする録画システム。
【請求項２】
前記番組抽出部は、前記端末装置から受信した、番組表の種類を特定する番組表特定情報に基づき、前記番組ＤＢ部から、前記番組表特定情報と一致するデータを有する前記番組データに対応する番組ＩＤを抽出し、
前記抽出情報制御部は、前記抽出された番組ＩＤから前記番組表特定情報により特定された番組表を表示するのに必要となる抽出情報を送信制御することを特徴とする請求項１記載の録画システム。
【請求項３】
前記番組ＤＢ部は、前記番組データとして、番組のジャンル、出演者または概要のデータを更に蓄積し、
前記番組抽出部は、前記端末装置から受信した検索キーワードに基づき、前記番組ＤＢ部に照会して、前記検索キーワードを含む番組データに対応する番組ＩＤを抽出し、
前記抽出情報制御部は、前記抽出された番組ＩＤに基づいて抽出情報を送信制御することを特徴とする請求項１記載の録画システム。
【請求項４】
前記番組ＤＢ部は、前記番組データとして、番組のジャンル、出演者、概要、話題性または視聴率のデータを更に蓄積するとともに、ユーザごとに過去に選択した番組ＩＤの履歴情報を蓄積し、
前記番組抽出部は、前記端末装置から受信したレコメンド要求情報に基づき、前記番組ＤＢ部に蓄積される前記履歴情報または前記番組データを参照して推薦すべき番組ＩＤを抽出し、
前記抽出結果制御部は、前記抽出された番組ＩＤに基づいて抽出情報を送信制御することを特徴とする請求項１記載の録画システム。
【請求項５】
ユーザが操作する端末装置から電気通信網を介して受信した録画予約の指示により、番組の録画を行なう録画システムであって、
各番組の番組ＩＤ、ならびに前記番組ＩＤに対応付けられた番組名、番組開始時刻、番組終了時刻、チャンネル情報、および番組のジャンル、番組の出演者または番組の概要を含む番組データを蓄積する番組ＤＢ部、前記端末装置から受信した検索キーワードに基づき、前記番組ＤＢ部から、前記検索キーワードを含む番組データに対応する番組ＩＤを抽出する番組抽出部、前記抽出された番組ＩＤに対応する番組データのうち、チャンネル情報、番組開始時刻および番組終了時刻を含む録画予約情報を、ケーブルテレビ網を介して送出制御する録画予約制御部を有する集中管理装置と、
前記集中管理装置からケーブルテレビ網を介して受信した前記前記録画予約情報を蓄え、録画予約を行なう録画予約部、および前記録画予約部の制御により録画された録画データを収録する収録部を有する録画装置と、を備えることを特徴とする録画システム。
【請求項６】
ユーザが操作する端末装置から電気通信網を介して受信した録画予約の指示により、番組の録画を行なう録画システムであって、
各番組の番組ＩＤ、ユーザごとに過去に選択した番組ＩＤの履歴情報、ならびに前記番組ＩＤに対応付けられた番組名、番組開始時刻、番組終了時刻およびチャンネル情報を含み、更に番組のジャンル、出演者、概要、話題性および視聴率のデータのいずれか一つを含む番組データを蓄積する番組ＤＢ部、前記端末装置から受信したレコメンド要求情報に基づき、前記番組ＤＢ部に蓄積される前記履歴情報または前記番組データを参照して推薦すべき番組ＩＤを抽出する番組抽出部、前記抽出された番組ＩＤに対応する番組データのうち、チャンネル情報、番組開始時刻および番組終了時刻を含む録画予約情報を、ケーブルテレビ網を介して送出制御する録画予約制御部を有する集中管理装置と、
前記集中管理装置からケーブルテレビ網を介して受信した前記番組データに従い、録画予約を行なう録画予約部、および前記録画予約部の制御により録画された録画データを収録する収録部を有する録画装置と、を備えることを特徴とする録画システム。
【請求項７】
ユーザが操作する端末装置から電気通信網を介して受信した録画予約の指示により、番組の録画を行なう録画システムであって、
各番組の番組ＩＤ、ならびに前記番組ＩＤに対応付けられた番組名、番組開始時刻、番組終了時刻およびチャンネル情報を含む番組データを蓄積する番組ＤＢ部、前記端末装置から受信した情報に基づき前記番組ＤＢ部から前記番組ＩＤを抽出する番組抽出部、ならびに前記抽出された番組ＩＤに含まれる番組ＩＤに対して、前記番組データのうち、チャンネル情報、番組開始時刻および番組終了時刻を含む録画予約情報を、前記番組ＤＢ部から読み出し、ケーブルテレビ網を介して送出制御する録画予約制御部を有する集中管理装置と、
前記集中管理装置からケーブルテレビ網を介して受信した前記録画予約情報を蓄え、録画予約を行なう録画予約部、および前記録画予約部の制御により録画された録画データを収録する収録部を有する録画装置と、を備え、
前記集中管理装置において、前記録画予約制御部は、番組開始時刻または番組終了時刻の変更を指示する時刻変更情報の入力があったか否かを判定し、
前記時刻変更情報があったときには、前記時刻変更情報に従い、番組の開始時刻または終了時刻を変更して、ケーブルテレビ網を介して前記録画装置に送出制御し、
前記録画装置において、録画予約部は、変更された番組開始時刻または番組終了時刻で録画の開始および録画の終了を制御することを特徴とする録画システム。
【発明の詳細な説明】
【技術分野】
【０００１】
本発明は、ユーザが操作する端末装置から電気通信網を介して受信した録画予約の指示により、番組の録画を行なう録画システムに関する。
【背景技術】
【０００２】
従来、サーバから得た情報に基づいて番組を録画する装置が知られている。その中には、携帯端末からの指示により、録画する番組を予約し、録画を行なうシステムが存在する（特許文献１および特許文献２）。
【０００３】
たとえば、特許文献１に記載されている遠隔番組予約システムは、予約端末を使って、予約サーバにアクセスし、番組表から番組を予約すると、予約サーバが利用者に代わって選んだ番組の放送局コード、開始時刻、終了時刻のデータを録画サーバに送信する。録画サーバは予約サーバから受信した番組情報を元に定期的に、録画予約登録し、開始時刻になると、番組を自動録画する。予約サーバと録画サーバは、共通の放送局コードのテーブルをもつので、予約サーバは、録画サーバの設置地域、チャンネル設定の内容に関わらず共通の放送局コードを送信するだけで、録画するチャンネルを指定することができ、録画サーバは、自機の設置地域、チャンネル設定の内容に関わらず、放送局コードを自機の受信チャンネル情報に逆変換して、適切な受信チャンネルで録画する。このようにして、遠隔地から録画サーバに、設置地域に関係なく、１台の予約サーバで、録画予約を登録することを可能にしている。
【０００４】
また、たとえば、特許文献２に記載されている番組予約システムは、録画予約と宿泊予約とを司る予約サーバ、宿泊施設内または近傍に配設された複数の録画サーバを備えている。予約サーバには、各サーバが配設された地域を示す情報と共に録画装置情報が登録されている。ユーザの端末装置から宿泊予約および録画予約の指示がなされた場合、録画装置情報から宿泊予約先の録画サーバを選択する。それとともに、各録画サーバがある各地域のＥＰＧ情報を保持するＥＰＧデータベースサーバより宿泊予約先の地域のＥＰＧ情報を取得して、端末装置に送信し、選択された予約番組が返送された場合、予約番組を録画予約する番組予約情報を生成して、宿泊予約先の録画サーバに送信し、録画予約する。このようにして、ユーザが居住しない地域の放送番組でも録画予約可能とし、かつ、同一の録画サーバに不特定多数のユーザが独立に録画予約可能とする番組予約システムを実現している。なお、ＥＰＧとは、番組表表示機能の一つである。
【特許文献１】特開２００２−１９９３１６号公報
【特許文献２】特開２００５−１４２６９１号公報
【発明の開示】
【発明が解決しようとする課題】
【０００５】
しかしながら、上記のようなシステムは、遠隔地からの録画予約を可能にすることを目的とするものであり、録画装置から機能を省くことを目的とするものではない。すなわち、上記の録画サーバはメールの送受信機能を有しており、予約サーバと録画サーバとの間は、インターネットにより接続されている必要がある。また、録画サーバは、放送局データベースを有しており、設定地域の入力を受付けて、放送局データベースから放送局を特定する。このように、録画装置は、高い機能を有している。
【０００６】
高機能の録画装置は、製造コストが高くなり、高価になる。また、予約サーバの機能に変更がある場合には、変更に対応したアップグレードが必要になり、ユーザの負担が大きくなる。
【０００７】
本発明は、このような事情に鑑みてなされたものであり、各録画装置にかかるコストを低減するとともに、録画装置を買い換えることなく機能の変更を可能にする録画システムを提供することを目的とする。
【課題を解決するための手段】
【０００８】
（１）上記の目的を達成するため、本発明の録画システムは、ユーザが操作する端末装置から電気通信網を介して受信した録画予約の指示により、番組の録画を行なう録画システムであって、各番組の番組ＩＤ、ならびに前記番組ＩＤに対応付けられた番組名、番組開始時刻、番組終了時刻およびチャンネル情報を含む番組データを蓄積する番組ＤＢ部、前記端末装置から受信した情報に基づき前記番組ＤＢ部から前記番組ＩＤを抽出する番組抽出部、前記抽出された番組ＩＤに基づいて抽出情報を、前記端末装置に送信制御する抽出情報制御部、ならびに前記端末装置において前記抽出情報からユーザが選択した番組ＩＤに対応する前記番組データのうち、チャンネル情報、番組開始時刻および番組終了時刻を含む録画予約情報を、前記番組ＤＢ部から読み出し、ケーブルテレビ網を介して送出制御する録画予約制御部を有する集中管理装置と、前記集中管理装置からケーブルテレビ網を介して受信した前記録画予約情報を蓄え、録画予約を行なう録画予約部、および前記録画予約部の制御により録画された録画データを収録する収録部を有する録画装置と、を備えることを特徴としている。
【０００９】
このように、本発明の録画システムは、集中管理装置が端末装置から得た情報に基づき番組ＤＢ部から番組ＩＤを抽出する機能を有するため、録画装置には、番組を抽出する機能、特殊な機能やインターネットへの接続のための機能等は不要である。録画装置には、録画と再生の機能のみがあればよいので、製造コストを削減し低価格にすることができる。また、録画装置のメンテナンス等を不要にし、機能に変更がある場合には、集中管理装置のみを変更すればよいため、アップグレードを容易にすることができる。その結果、システムの普及を促進することができる。このように、本発明の録画システムは、各録画装置にかかるコストを低減するとともに、録画装置を買い換えることなく機能の変更を可能にする。
【００１０】
（２）また、本発明の録画システムは前記番組抽出部は、前記端末装置から受信した、番組表の種類を特定する番組表特定情報に基づき、前記番組ＤＢ部から、前記番組表特定情報と一致するデータを有する前記番組データに対応する番組ＩＤを抽出し、前記抽出情報制御部は、前記抽出された番組ＩＤから前記番組表特定情報により特定された番組表を表示するのに必要となる抽出情報を送信制御することを特徴としている。
【００１１】
このように、本発明の録画システムは、集中管理装置において端末装置から受信した番組表特定情報に基づき、番組ＤＢ部から、番組表特定情報と一致するデータを有する番組データに対応する番組ＩＤを抽出する。これにより、番組表の表示から録画予約を行なう、いわゆる番組表表示機能を集中管理装置に持たせるため、録画装置の製造コストを削減し録画装置を低価格にすることができる。また、詳細な機能を変更する際には、集中管理装置の機能を変更すれば足りるため、録画装置の買い替えを不要にすることができる。
【００１２】
（３）また、本発明の録画システムは、前記番組ＤＢ部は、前記番組データとして、番組のジャンル、出演者または概要のデータを更に蓄積し、前記番組抽出部は、前記端末装置から受信した検索キーワードに基づき、前記番組ＤＢ部に照会して、前記検索キーワードを含む番組データに対応する番組ＩＤを抽出し、前記抽出情報制御部は、前記抽出された番組ＩＤに基づいて抽出情報を送信制御することを特徴としている。
【００１３】
このように、本発明の録画システムは、集中管理装置において端末装置から受信した検索キーワードに基づき、番組ＤＢ部に照会して、検索キーワードを含む番組データに対応する番組ＩＤを抽出する。これにより、いわゆるキーワード検索機能を集中管理装置に持たせるため、録画装置の製造コストを削減し録画装置を低価格にすることができる。また、検索処理の流れ等の詳細な機能を変更する際には、集中管理装置の機能を変更すれば足りるため、録画装置の買い替えを不要にすることができる。
【００１４】
（４）また、本発明の録画システムは、前記番組ＤＢ部は、前記番組データとして、番組のジャンル、出演者、概要、話題性または視聴率のデータを更に蓄積するとともに、ユーザごとに過去に選択した番組ＩＤの履歴情報を蓄積し、前記番組抽出部は、前記端末装置から受信したレコメンド要求情報に基づき、前記番組ＤＢ部に蓄積される前記履歴情報または前記番組データを参照して推薦すべき番組ＩＤを抽出し、前記抽出結果制御部は、前記抽出された番組ＩＤに基づいて抽出情報を送信制御することを特徴としている。
【００１５】
このように、本発明の録画システムは、集中管理装置において端末装置から受信したレコメンド要求情報に基づき、番組ＤＢ部に蓄積される履歴情報および番組データの少なくともいずれか一方を参照して推薦すべき番組ＩＤを抽出する。これにより、いわゆるレコメンド機能を集中管理装置に持たせるため、録画装置の製造コストを削減し録画装置を低価格にすることができる。また、推奨番組を決定するアルゴリズム等の詳細な機能を変更する際には、集中管理装置の機能を変更すれば足りるため、録画装置の買い替えを不要にすることができる。
【００１６】
（５）また、本発明の録画システムは、ユーザが操作する端末装置から電気通信網を介して受信した録画予約の指示により、番組の録画を行なう録画システムであって、各番組の番組ＩＤ、ならびに前記番組ＩＤに対応付けられた番組名、番組開始時刻、番組終了時刻、チャンネル情報、および番組のジャンル、番組の出演者または番組の概要を含む番組データを蓄積する番組ＤＢ部、前記端末装置から受信した検索キーワードに基づき、前記番組ＤＢ部から、前記検索キーワードを含む番組データに対応する番組ＩＤを抽出する番組抽出部、前記抽出された番組ＩＤに対応する番組データのうち、チャンネル情報、番組開始時刻および番組終了時刻を含む録画予約情報を、ケーブルテレビ網を介して送出制御する録画予約制御部を有する集中管理装置と、前記集中管理装置からケーブルテレビ網を介して受信した前記前記録画予約情報を蓄え、録画予約を行なう録画予約部、および前記録画予約部の制御により録画された録画データを収録する収録部を有する録画装置と、を備えることを特徴としている。
【００１７】
このように、本発明の録画システムは、集中管理装置において端末装置から受信した検索キーワードに基づき、番組ＤＢ部に照会して、検索キーワードを含む番組データに対応する番組ＩＤを抽出する。これにより、いわゆるキーワード検索機能を集中管理装置に持たせるため、録画装置の製造コストを削減し録画装置を低価格にすることができる。また、検索処理の流れ等の詳細な機能を変更する際には、集中管理装置の機能を変更すれば足りるため、録画装置の買い替えを不要にすることができる。
【００１８】
（６）また、本発明の録画システムは、ユーザが操作する端末装置から電気通信網を介して受信した録画予約の指示により、番組の録画を行なう録画システムであって、各番組の番組ＩＤ、ユーザごとに過去に選択した番組ＩＤの履歴情報、ならびに前記番組ＩＤに対応付けられた番組名、番組開始時刻、番組終了時刻およびチャンネル情報を含み、更に番組のジャンル、出演者、概要、話題性および視聴率のデータのいずれか一つを含む番組データを蓄積する番組ＤＢ部、前記端末装置から受信したレコメンド要求情報に基づき、前記番組ＤＢ部に蓄積される前記履歴情報または前記番組データを参照して推薦すべき番組ＩＤを抽出する番組抽出部、前記抽出された番組ＩＤに対応する番組データのうち、チャンネル情報、番組開始時刻および番組終了時刻を含む録画予約情報を、ケーブルテレビ網を介して送出制御する録画予約制御部を有する集中管理装置と、前記集中管理装置からケーブルテレビ網を介して受信した前記番組データに従い、録画予約を行なう録画予約部、および前記録画予約部の制御により録画された録画データを収録する収録部を有する録画装置と、を備えることを特徴としている。
【００１９】
このように、本発明の録画システムは、集中管理装置において端末装置から受信したレコメンド要求情報に基づき、番組ＤＢ部に蓄積される履歴情報および番組データの少なくともいずれか一方を参照して推薦すべき番組ＩＤを抽出する。これにより、いわゆるレコメンド機能を集中管理装置に持たせるため、録画装置の製造コストを削減し録画装置を低価格にすることができる。また、推奨番組を決定するアルゴリズム等の詳細な機能を変更する際には、集中管理装置の機能を変更すれば足りるため、録画装置の買い替えを不要にすることができる。
【００２０】
（７）また、本発明の録画システムは、ユーザが操作する端末装置から電気通信網を介して受信した録画予約の指示により、番組の録画を行なう録画システムであって、各番組の番組ＩＤ、ならびに前記番組ＩＤに対応付けられた番組名、番組開始時刻、番組終了時刻およびチャンネル情報を含む番組データを蓄積する番組ＤＢ部、前記端末装置から受信した情報に基づき前記番組ＤＢ部から前記番組ＩＤを抽出する番組抽出部、ならびに前記抽出された番組ＩＤに含まれる番組ＩＤに対して、前記番組データのうち、チャンネル情報、番組開始時刻および番組終了時刻を含む録画予約情報を、前記番組ＤＢ部から読み出し、ケーブルテレビ網を介して送出制御する録画予約制御部を有する集中管理装置と、前記集中管理装置からケーブルテレビ網を介して受信した前記録画予約情報を蓄え、録画予約を行なう録画予約部、および前記録画予約部の制御により録画された録画データを収録する収録部を有する録画装置と、を備え、前記集中管理装置において、前記録画予約制御部は、番組開始時刻または番組終了時刻の変更を指示する時刻変更情報の入力があったか否かを判定し、前記時刻変更情報があったときには、前記時刻変更情報に従い、番組の開始時刻または終了時刻を変更して、ケーブルテレビ網を介して前記録画装置に送出制御し、前記録画装置において、録画予約部は、変更された番組開始時刻または番組終了時刻で録画の開始および録画の終了を制御することを特徴としている。
【００２１】
これにより、番組の放送時間が変更する可能性のある番組については、集中管理装置に時間変更情報が入力されると、放送時間の変更があった番組についても、変更に対応して録画がなされる。たとえば、野球中継の延長放送により、その後のドラマの放送時間が変更されても、途中で録画が終了するという不都合がなく最後まで録画することができる。
【発明の効果】
【００２２】
本発明の録画システムによれば、集中管理装置が端末装置から得た情報に基づき番組ＤＢ部から番組ＩＤを抽出する機能を有するため、録画装置には、番組を抽出する機能、特殊な機能やインターネットへの接続のための機能等は不要である。録画装置には、録画と再生の機能のみがあればよいので、製造コストを削減し低価格にすることができる。また、録画装置のメンテナンス等を不要にし、機能に変更がある場合には、集中管理装置のみを変更すればよいため、アップグレードを容易にすることができる。その結果、システムの普及を促進することができる。このように、本発明の録画システムは、各録画装置にかかるコストを低減するとともに、録画装置を買い換えることなく機能の変更を可能にする。
【００２３】
また、本発明の録画システムによれば、集中管理装置において端末装置から受信した検索キーワードに基づき、番組ＤＢ部に照会して、検索キーワードを含む番組データに対応する番組ＩＤを抽出する。これにより、いわゆるキーワード検索機能を集中管理装置に持たせるため、録画装置の製造コストを削減し録画装置を低価格にすることができる。また、検索処理の流れ等の詳細な機能を変更する際には、集中管理装置の機能を変更すれば足りるため、録画装置の買い替えを不要にすることができる。
【００２４】
また、本発明の録画システムによれば、集中管理装置において端末装置から受信したレコメンド要求情報に基づき、番組ＤＢ部に蓄積される履歴情報および番組データの少なくともいずれか一方を参照して推薦すべき番組ＩＤを抽出する。これにより、いわゆるレコメンド機能を集中管理装置に持たせるため、録画装置の製造コストを削減し録画装置を低価格にすることができる。また、推奨番組を決定するアルゴリズム等の詳細な機能を変更する際には、集中管理装置の機能を変更すれば足りるため、録画装置の買い替えを不要にすることができる。
【００２５】
また、本発明の録画システムによれば、番組の放送時間が変更する可能性のある番組については、集中管理装置に時間変更情報が入力されると、放送時間の変更があった番組についても、変更に対応して録画がなされる。たとえば、野球中継の延長放送により、その後のドラマの放送時間が変更されても、途中で録画が終了するという不都合がなく最後まで録画することができる。
【発明を実施するための最良の形態】
【００２６】
本発明の実施の形態について、図面を参照しながら説明する。
【００２７】
図１は、録画システム１のブロック図である。図１に示すように、録画システム１は、集中管理装置２と、録画装置３とから構成されている。集中管理装置２は、ケーブルテレビ網６を介して録画装置３に接続されている。一方で、集中管理装置２は、ＩＰ網７を介して携帯電話機４、ＰＣ５、付属端末８等の端末装置に接続している。このような構成により、録画システム１は、ユーザが操作する端末装置からＩＰ網７を介して録画予約の指示を受信し、番組の録画を行なう。
【００２８】
携帯電話機４、ＰＣ５、付属端末８等の端末装置は、表示画面（図示せず）を有しており、集中管理装置２から受信した情報を画面に表示する。また、携帯電話機４、ＰＣ５、付属端末８等の端末装置は、操作キー等から構成される操作部（図示せず）を有している。図１には、端末装置として、ＰＣ５、携帯電話機４、付属端末８が記載されているが、その他、ＰＤＡ等の携帯端末であってもよい。付属端末８は、録画装置３に付属している分離して持ち運び可能な端末装置であり、内部にＩＰ用送受信部９を有している。付属端末８と録画装置３とは、赤外線等により情報の送受信が可能となっている。なお、付属端末８は、録画装置３から分離しない機能の一部であってもよい。また、付属端末８は、ケーブルテレビ網６を介して集中管理装置２との通信を行なうこととしてもよい。その場合には、録画装置３とケーブルテレビ網６との間に、ケーブルモデムを設ける。付属端末８の表示画面としては、再生用のＴＶの画面等が用いられる。
【００２９】
集中管理装置２は、制御部１１、番組ＤＢ部１２、データ入力部１３、番組抽出部１４、抽出情報制御部１５、録画予約制御部１６、送出部１７、記憶部２１、ＩＰ用送受信部２２、表示データ制御部２４、履歴情報制御部２６、履歴情報蓄積部２７および履歴情報解析部２８から構成されている。集中管理装置２は、上記の各部が連携することにより、端末装置からの指示を受けて録画する番組を抽出し、録画装置３に録画する番組の番組データを送出する機能を有している。
【００３０】
制御部１１は、集中管理装置２の各部の制御を行なう。制御部１１は、ＣＰＵにより構成されている。番組ＤＢ部１２は、各番組の番組ＩＤ、ならびに前記番組ＩＤに対応付けられた番組名、番組開始時刻、番組終了時刻、チャンネル情報、各日付の番組表データ、番組のジャンル、出演者、概要、話題性および視聴率のデータを含む番組データを蓄積している。概要のデータには、所定のプログラムにより番組に関するデータから作成されるメタデータを含む。番組ＤＢ部１２は、ＲＡＭもしくはＲＯＭ等のメモリ、またはハードディスク等の外部記憶装置により構成されている。番組ＤＢ部１２は、容量の大きい外部記憶装置により構成されていることが好ましい。
【００３１】
データ入力部１３は、番組ＤＢ部１２への新規の番組ＩＤ、番組データの入力や、すでに番組ＤＢ部１２に蓄積されている番組ＩＤおよび番組データの変更するデータの入力を受付ける。データ入力部１３は、管理者からの直接の入力を受付ける操作キーまたは別のサーバからの信号を受信するインタフェースである。また、データ入力部１３は、番組ＩＤに対応付けられている番組開始時刻または番組終了時刻の変更を指示する時刻変更情報を受付ける。各機能はユーザにより選択可能となっている。選択は、端末装置への操作により行なわれる。
【００３２】
番組抽出部１４は、携帯電話機４やＰＣ５等の端末装置から受信した情報に基づき番組ＤＢ部１２から番組ＩＤを抽出する。これにより、録画装置３には、番組を抽出する機能等は不要となり、録画と再生の機能のみがあれば十分となるため、録画装置３の製造コストを削減し低価格にすることができる。また、録画装置３のメンテナンス等を不要にし、機能に変更がある場合には、集中管理装置２のみを変更すればよいため、アップグレードを容易にすることができる。その結果、録画システム１の普及を促進することができる。このように、録画システム１は、各録画装置３にかかるコストを低減するとともに、録画装置３を買い換えることなく機能の変更を可能にする。番組抽出の機能としては、たとえば番組表表示機能、キーワード検索機能、レコメンド機能がある。番組抽出部１４は、ＣＰＵにより構成されている。
【００３３】
番組表表示機能が選ばれている場合には、番組抽出部１４は、端末装置から受信した番組表特定情報に基づいて、番組ＤＢ部１２に照会して、その番組表特定情報と一致するデータを含む番組データに対応する番組ＩＤを抽出する。これにより、番組表の表示から録画予約を行なう、いわゆる番組表表示機能を集中管理装置２に持たせるため、録画装置３の製造コストを削減し録画装置３を低価格にすることができる。また、詳細な機能を変更する際には、集中管理装置２の機能を変更すれば足りるため、録画装置３の買い替えを不要にすることができる。なお、番組表特定情報とは、番組表の種類を特定する情報であり、日付を特定する日付情報、時刻を特定する時刻情報、ジャンルを特定するジャンル情報、チャンネルを特定するチャンネル情報が含まれる。また、番組表とは、日付、時刻、ジャンル、チャンネル等の条件に適合する番組を時系列で表示した表である。
【００３４】
たとえば、ユーザにより４月１日１３時〜１４時が指示されたときには、４月１日１３時〜１４時の番組の番組ＩＤが抽出される。また、特定のチャンネルが指示されたときには、指示されたチャンネルの２４時間分の番組ＩＤが抽出される。また、ジャンルとしてスポーツが指示されたときには、スポーツの２４時間分の番組ＩＤが抽出される。抽出情報制御部１５は、抽出された番組ＩＤに基づいて番組表を編集し、表示データ制御部２４が番組名とともに端末装置で表示するための番組表の表示データを作成する。なお、抽出情報制御部１５は、抽出された番組ＩＤのみから番組表を編集してもよいし、番組ＩＤから特定される番組データを読み出し、番組表を作成してもよい。
【００３５】
キーワード検索機能が選ばれている場合には、番組抽出部１４は、端末装置から受信した検索キーワードに基づいて、番組ＤＢ部１２に照会して、検索キーワードを含む番組データに対応する番組ＩＤを抽出する。たとえば、ジャンルで「スポーツ」のキーワードにより検索した場合には、番組抽出部１４は、ジャンルのデータがスポーツであるか否かを各番組について判定し、ジャンルがスポーツである番組（野球中継やスポーツニュース等）の番組ＩＤを抽出する。これにより、いわゆるキーワード検索機能を集中管理装置２に持たせるため、録画装置３の製造コストを削減し録画装置３を低価格にすることができる。また、検索処理の流れ等の詳細な機能を変更する際には、集中管理装置２の機能を変更すれば足りるため、録画装置３の買い替えを不要にすることができる。なお、キーワード検索の方式には、ユーザがキーワードをタイプ入力して検索を行なう方式のほかに、あらかじめ用意されたジャンルをカーソルで指定して検索する方式も含む。
【００３６】
また、出演者では、端末装置に入力され受信された出演者名から、番組ＤＢ部１２に照会する。そして、入力された出演者名に一致する名前が出演者のデータに入っているか否かを各番組について判定し、入っている番組の番組ＩＤを抽出する。
【００３７】
また、フリーキーワードにより、検索が行なわれる場合には、番組名、番組開始時刻、番組終了時刻、チャンネル情報、各日付の番組表データ、番組のジャンル、出演者および概要のデータの中から、キーワードに一致するデータがあるか否かを各番組について判定し、一致するデータのある番組の番組ＩＤを抽出する。なお、番組ＤＢ部に、特定の用語に関連する用語を、用語ごとに登録しておき、キーワードに関連する用語をデータに含む番組までも抽出することとしてもよい。また、もっと狭い範囲で検索を行なうこととしてもよい。たとえば、概要のデータのみを検索の対象とすることとしてもよい。このような場合には、番組ＤＢ部は、概要のデータ以外に検索の対象となるデータを蓄積しなくてもよい。
【００３８】
レコメンド機能が選ばれている場合には、端末装置から受信したレコメンド要求情報に基づき、番組ＤＢ部１２に蓄積されている履歴情報および番組データの少なくともいずれか一方を参照して推薦すべき番組ＩＤを抽出する。たとえば、過去に「ドラマ」のジャンルに入る番組を録画した割合が他のジャンルより多いユーザからレコメンド要求情報を受信したときには、近日中に放送を開始するドラマ、話題性の高いドラマや視聴率の高いドラマの番組ＩＤを抽出する。これにより、いわゆるレコメンド機能を集中管理装置２に持たせるため、録画装置３の製造コストを削減し録画装置３を低価格にすることができる。また、推奨番組を決定するアルゴリズム等の詳細な機能を変更する際には、集中管理装置２の機能を変更すれば足りるため、録画装置３の買い替えを不要にすることができる。なお、レコメンド要求情報とは、端末装置でユーザがレコメンド機能を選択したときに送信される、レコメンド機能の起動を要求する情報である。
【００３９】
抽出情報制御部１５は、抽出された番組ＩＤを、記憶部２１に記憶させるとともに、番組ＩＤに基づく抽出情報を携帯電話機４やＰＣ５等の端末装置に送信制御する。送信される抽出情報には、番組名、番組開始時刻、番組終了時刻が含まれる。また、抽出情報には、通常、抽出された複数の番組の情報が含まれる。抽出情報は、抽出された番組ＩＤのみであってもよいし、番組ＩＤから特定される番組データのみであってもよい。また、番組データの一部だけであってもよい。
【００４０】
端末装置は、抽出情報に基づいて番組名をリストアップした番組一覧表を表示する。また、抽出情報制御部１５は、番組表表示機能が選択されている場合には、抽出された番組ＩＤに基づいて番組表のデータを編集して端末装置へ送信制御する。番組表とは、日付、時刻、ジャンル、チャンネル等の条件に適合する番組を時系列で表示した表であり、番組一覧表の一種である。抽出情報制御部１５は、ＣＰＵにより構成されている。録画予約制御部１６は、端末装置において抽出情報からユーザが選択した番組ＩＤに対応する番組データのうち番組ＩＤ、番組名、チャンネル情報、番組開始時刻および番組終了時刻を、番組ＤＢ部１２から読み出し、録画予約情報として録画装置３へ送出制御する。録画予約制御部１６は、ＣＰＵにより構成されている。送出部１７は、ケーブルテレビ網６に接続するインタフェースである。録画予約情報とは、少なくともチャンネル情報、番組開始時刻および番組終了時刻を含み、録画装置３に録画を指示する情報である。
【００４１】
録画予約情報は、ケーブルテレビ網６を介して集中管理装置２から録画装置３へ送出される。送出部１７は、番組データの信号をアウトバンド伝送により送出するように設定されていることが好ましい。アウトバンド伝送とは、主信号伝送帯域外の領域でデータ信号を伝送する方式をいう。この場合には、録画装置３のＴＶチューナー３６として、主チューナーおよびアウトバンド伝送専用のチューナーを設ける。これにより、主信号伝送帯域を番組内容のデータの送信に用い、その領域外で常時番組データの信号を送出することが可能になる。
【００４２】
なお、ケーブルテレビ網６における録画予約情報の送出は、片方向の送出により可能であり、片方向のみの伝送機能を有するケーブルテレビシステムであっても十分に本発明を実施することができる。したがって、たとえば首都圏の集合住宅等の２次側の設備等のように、外部のケーブルテレビ伝送路は双方向化されていても、内部の伝送路が双方向化に対応していない場合にも、片方向のサービスの提供を受けているユーザに録画システム１のサービスを提供することができる。また、デジタルケーブルテレビを利用しないアナログケーブルテレビサービスの利用者や、電波障害対策としてケーブルテレビのサービスを受けるため、または集合住宅の一括導入により、主に再送信波の提供を受けておりデジタルケーブルテレビ放送視聴のためのＳＴＢ（Ｓｅｔ  Ｔｏｐ  Ｂｏｘ）機器を設置しない利用者も存在するが、このような利用者に対してもサービスを提供することができる。
【００４３】
また、録画予約制御部１６は、データ入力部１３から録画する番組の番組ＩＤおよび番組ＩＤに対応する時刻変更情報の入力があったか否かを判定する。録画予約制御部１６は、時刻変更情報を受信した場合には、時刻変更情報に従い番組開始時刻および番組終了時刻を変更する。そして、変更後の番組開始時刻および番組終了時刻を録画装置３に送出制御する。これにより、番組の放送時間が変更する可能性のある番組については、集中管理装置２に時間変更情報が入力されると、放送時間の変更があった番組についても、変更に対応して録画がなされる。たとえば、野球中継の延長放送により、その後のドラマの放送時間が変更されても、途中で録画が終了するという不都合がなく最後まで録画することができる。
【００４４】
記憶部２１は、番組抽出部１４により抽出された番組ＩＤおよび番組ＩＤに対応する番組データを記憶する。記憶部２１は、一時的にデータを記憶する機能を有している。記憶部２１は、ＲＡＭ等のメモリにより構成される。
【００４５】
ＩＰ用送受信部２２は、ＩＰ網７に接続するインタフェースである。ＩＰ用送受信部２２は、携帯電話機４やＰＣ５等の端末装置からの指示を受信し、抽出情報等の情報を端末装置に送信する。
【００４６】
表示データ制御部２４は、抽出された番組データ、その他の情報を端末装置に送信する際に、携帯端末の画面に表示される画面データを編集する。これにより、端末装置用にレイアウトが編集され、画面上で抽出された番組から録画対象の番組を選択するのが容易になる。表示データ制御部２４は、ＣＰＵにより構成されている。
【００４７】
履歴情報制御部２６は、録画装置３に送出した番組ＩＤとともに履歴情報を履歴情報蓄積部２７に蓄積する。また、履歴情報解析部２８が履歴情報を解析する際には、履歴情報を履歴情報蓄積部２７から読み出す。履歴情報制御部２６は、ＣＰＵにより構成されている。
【００４８】
また、履歴情報蓄積部２７は、ユーザごとに過去に選択した番組ＩＤや番組ＩＤに対応付けられる各要素の数値等の履歴情報を蓄積している。履歴情報蓄積部２７は、ＲＡＭ等のメモリ、またはハードディスク等の外部記憶装置により構成されている。
【００４９】
履歴情報解析部２８は、履歴情報蓄積部２７から読み出された履歴情報を解析し、レコメンド用の情報として記憶部に記憶させる。たとえば、履歴情報解析部２８は、各ユーザの録画予約された番組のジャンル別の選択数（各要素の数値）を算出し、記憶部２１に記憶させる。履歴情報解析部２８は、ＣＰＵにより構成されている。また、履歴情報解析部２８が履歴情報を解析する際には、履歴情報を履歴情報蓄積部２７から読み出す。
【００５０】
なお、集中管理装置２の構成として説明していないが、集中管理装置２には各端末装置を各ユーザのＩＤ情報（たとえばＳｕｂ−ＩＤ）を蓄積するデータベースと認証部とを備えており、集中管理装置２はユーザの認証を行なう。ユーザの認証には、パスワードの照合や生体認証を用いてもよい。
【００５１】
録画装置３は、制御部３１、受信部３２、録画予約部３３、記憶部３４、収録部３５、ＴＶチューナー３６、入力部３７、再生部３８、表示制御部３９から構成されている。録画装置３は、番組開始時刻および番組終了時刻を管理するための内部時計（図示せず）を更に備えている。録画装置３は、集中管理装置２から録画予約情報を受信して、その録画予約情報に従い、番組を録画する。
【００５２】
制御部３１は、ＣＰＵにより構成され、付属端末８を含めて、録画装置３の各部の制御を行なう。受信部３２は、ケーブルテレビ網に接続し、集中管理装置２から送出された録画予約情報を受信するインタフェースである。なお、送出および受信には、信号の変調および復調を伴う。集中管理装置２の送出部１７が変調を、録画装置３の受信部３２が復調を行なっている。
【００５３】
録画予約部３３は、集中管理装置２から受信した録画予約情報および変更された番組開始時刻等を管理することにより、録画予約を行なう。すなわち、受信した録画予約情報および変更された番組開始時刻等を記憶部３４に記憶させ、その録画予約情報に従って、録画の開始と録画の終了を管理する。録画予約部３３は、ＣＰＵにより構成される。その他、録画予約部３３は、変更された番組開始時刻または番組終了時刻を記憶部３４に記憶させ、その時刻に従って内部時計を参照し、録画の開始と録画の終了を管理する。
【００５４】
記憶部３４は、ＲＡＭ等のメモリにより構成され、録画予約情報を記憶する。収録部３５は、録画予約部３３の管理により、映像データや音声データ等の番組の内容を収録する。収録部３５は、ＲＡＭ等のメモリまたはハードディスク等の外部記憶装置により構成される。収録部３５は、特にハードディスクにより構成されていることが好ましい。ハードディスクは、安価であり容量が大きいため、収録に適している。
【００５５】
ＴＶチューナー３６は、録画予約情報の受信のための選局を行なう。また、ＴＶチューナー３６は、録画予約部３３の管理により録画の際に、録画予約情報に従って選局を行なう。番組のチャンネル情報は、たとえば録画予約情報として受信され、録画予約は管理部３３により管理される。番組の放送チャンネルには、主信号伝送帯域が用いられる。アウトバンド伝送により録画予約情報を受信する場合には、録画装置３のＴＶチューナー３６として、主チューナーおよびアウトバンド伝送専用のチューナーを設ける。
【００５６】
入力部３７は、操作キー、ボタン等により構成され、ユーザの操作を受付ける。再生部３８は、ユーザから再生の操作を受けたとき、操作により特定される番組の録画データを収録部３５から読み出し、収録した番組の内容を再生する。表示制御部３９は、ＴＶへの表示信号の送出を制御する。再生部３８および表示制御部３９は、ＣＰＵから構成される。なお、表示制御部３９は、図示しないＴＶに接続されている。
【００５７】
次に、録画システム１の動作を説明する。図２および図３は、録画システム１の特徴的な動作を示すフローチャートである。図２および図３によって、端末装置からの指示を受け、指示に従って録画が終了するまでの動作の一例が示されている。
【００５８】
図２に示すように、まず、集中管理装置２が、端末装置から機能選択の指示を受信する（ステップＳ１）。指示とは、データまたは信号を意味する。たとえば、機能選択の指示には、番組表表示機能を選択する指示、キーワード検索機能を選択する指示、レコメンド機能を選択する指示、録画予約するまでの番組選択をすべて自動に設定する指示等がある。
【００５９】
次に、番組抽出部１４は、機能選択の指示が番組表表示機能を選択する指示であるか否かを判定する（ステップＳ２）。機能選択の指示が番組表表示機能を選択する指示でない場合には、さらに指示がキーワード検索機能を選択する指示であるか否かを判定する（ステップＳ３）。機能選択の指示がキーワード検索機能を選択する指示でない場合には、さらに指示がレコメンド機能を選択する指示であるか否かを判定する（ステップＳ４）。
【００６０】
機能選択の指示がレコメンド機能を選択する指示でない場合には、直接の録画予約情報を入力することが選択されていると判断し、直接の録画予約情報を受信する（ステップＳ５）。直接の録画予約情報とは、ユーザが番組を選択することにより送出される録画予約情報ではなく、直接に録画するチャンネル情報、番組開始時刻および番組終了時刻を端末装置に入力することで送出される録画予約の情報をいう。そして、直接の録画予約情報をそのまま録画装置に送出し（ステップＳ６）、ステップＳ１９に進む。
【００６１】
一方、機能選択の指示がレコメンド機能を選択する指示である場合には、推奨番組の抽出処理を行なう（ステップＳ７）。推奨番組の抽出処理は、さまざまな要素を参照して、一定の基準に従い番組を抽出する処理である。要素としては、そのユーザの番組選択の履歴情報、番組の話題性または視聴率のデータ等がある。推奨番組の抽出を終えたら、ステップＳ１０に進む。なお、レコメンドの処理（解析および番組抽出）の詳細については後述する。
【００６２】
一方、機能選択の指示がキーワード検索機能を選択する指示である場合には、さらにキーワードのデータを端末装置から受信し（ステップＳ８）、キーワードおよび条件に適合する番組を検索の処理により抽出する（ステップＳ９）。次に録画対象となる番組選択の処理を自動にするという指示があったか否かを判定する（ステップＳ１０）。番組選択を自動とする指示がなかった場合には、端末装置に番組ＩＤに基づく抽出情報を送信し（ステップＳ１１）、ステップＳ１４に進む。
【００６３】
番組選択を自動とする指示があった場合には、検索等により抽出された番組をそのまま録画対象の番組として選択する（ステップＳ１２）。そして、ステップＳ１６に進む。このように、自動で抽出された番組の録画を行なうように設定することで、ユーザが忙しいときや操作を煩雑に感じるときでも、気軽に番組の録画を行なうことができる。また、ユーザが気が付かなかった番組も漏らさず録画することが可能となる。
【００６４】
一方、機能選択の指示が番組表表示機能を選択する指示である場合には、ユーザが選択した番組表特定情報に基づき、番組表特定情報と一致するデータを含む番組データ、およびその番組ＩＤを番組ＤＢ部１２から読み出す（ステップＳ１３）。そして、番組表データを作成し、端末装置に送信する（ステップＳ１４）。ユーザが表示画面に表示された番組表を参照して端末装置に入力する番組を選択する指示を、端末装置から受信する（ステップＳ１５）。次に、選択された番組の番組データのうち番組ＩＤ、番組名、チャンネル情報、番組開始時刻および番組終了時刻を含む録画予約情報を録画装置３に送出する（ステップＳ１６）。録画予約情報とは、少なくともチャンネル情報、番組開始時刻および番組終了時刻を含み、録画装置３に録画を指示する情報であるが、その他に番組名や番組の概要を含んでもよい。録画予約情報に、番組名や番組の概要が含まれる場合には、録画装置３は、録画済みの番組について番組名や番組の概要を表示し、録画後にユーザが録画したものを認識し易くすることができる。
【００６５】
そして、録画対象として選択した番組を履歴情報として、履歴情報蓄積部２７に蓄積する（ステップＳ１７）。履歴情報解析部２８は、履歴情報を履歴情報蓄積部２７から読み出して、履歴情報の解析および集計を行なう（ステップＳ１８）。
【００６６】
一方、録画装置３は、集中管理装置２から録画予約情報を受信する（ステップＳ１９）。そして、受信した録画予約情報を記憶部３４に記憶する（ステップＳ２０）。録画予約部３３は、記憶部３４に記憶される録画予約情報を管理するとともに、内部時計を参照し、番組開始時刻に録画対象のチャンネルを選局する（ステップＳ２１）。そして、番組開始時刻に録画を開始し（ステップＳ２２）、番組終了時刻に録画を終了する（ステップＳ２３）。そして、録画システム１は動作を終了する。なお、録画装置３は、番組ＩＤにより番組を識別する。
【００６７】
ここで、上記のレコメンドの処理（解析および番組抽出）の一例を説明する。番組の概要のデータとして、番組ＤＢ部１２は、番組の特徴的な要素を記憶しているとする。要素とは、たとえば、「スポーツ」、「ニュース」、「ドラマ」等の番組のジャンルであってもよいし、個々の出演者名であってもよい。録画予約情報の送出後、履歴情報制御部２６は、録画予約した番組について番組の特徴的な要素ごとに数値を加算し、各要素の数値を履歴情報蓄積部２７に蓄積する。たとえば、録画予約した番組に付随する各要素について、１だけ加算する。このような処理を録画予約情報の送出のたびに行なう。ここまでが履歴情報の解析処理である。レコメンド機能が選択されたときには、推奨される番組の抽出処理が行なわれる。
【００６８】
集中管理装置２が、レコメンド要求情報を受信したときには、番組抽出部１４は、推奨の対象になる番組について、履歴情報蓄積部２７に蓄積されている要素に一致する要素があるか否かを判定する。番組抽出部１４は、一致する要素がある場合には、一致する要素についてこれまでに蓄積された数値を読み出す。そして、各番組について、読み出された数値の和を計算し、和の大きい順に、推奨番組として番組ＩＤを抽出する。以上が、レコメンドの処理の一例である。
【００６９】
次に、録画時間の変更があった場合の録画システム１の動作を以下に説明する。図４は、録画時間の変更が入力された場合の録画システム１の特徴的な動作を示すフローチャートである。
【００７０】
まず、放送時間の変更または放送時間の延長の情報、すなわち時刻変更情報が集中管理装置２に入力される（ステップＴ１）。その際には、番組ＩＤを伴って入力し、番組ＩＤにより番組を識別する。時刻変更情報の入力により、録画予約制御部１６は、時刻変更情報に基づき、その番組の番組開始時刻または番組終了時刻を変更する（ステップＴ２）。そして、録画予約制御部１６は、番組ＩＤ、番組開始時刻および番組終了時刻の送出を行なう（ステップＴ３）。録画装置３は、送出された番組ＩＤ、番組開始時刻、番組終了時刻を受信する（ステップＴ４）。
【００７１】
次に、録画装置３の録画予約部３３は、番組ＩＤにより番組を識別して、録画状態にあるか否かを判定する。録画装置３が録画状態にない場合には、番組開始時刻または番組終了時刻を変更する（ステップＴ６）。一方、録画装置３が録画状態にある状態では、番組終了時刻のみを変更する。録画の時刻に変更があった場合には、それに対応することができる。
【００７２】
なお、上記の実施形態では、変更された番組開始時刻または番組終了時刻を受信したときに、録画装置３が録画を開始しているか否かを判定するが、判定を行なわず、録画中か否かにかかわらず番組開始時刻または番組終了時刻を変更することとしてもよい。その場合には、録画開始後に番組開始時刻が変更されても録画に影響を受けないような設定としておく。また、上記の実施形態とは異なり、番組の識別に番組ＩＤを用いずに、変更前の番組開始時刻および番組終了時刻をもとに、時刻の変更を行なうシステムとしてもよい。
【００７３】
また、上記の実施形態では、番組開始時刻または番組終了時刻を変更する場合に、集中管理装置が時刻変更情報に基づき番組開始時刻または番組終了時刻を変更して、そのデータを送出するが、集中管理装置は、時刻変更情報をそのまま録画装置に送出し、録画装置の録画予約部が時刻変更情報に基づき番組開始時刻または番組終了時刻を変更して、録画の開始または終了の制御を管理してもよい。また、集中管理装置は、時刻変更情報を受信した際に、番組ＤＢ部に蓄積している番組データの番組開始時刻および番組終了時刻を変更することとしてもよい。
【図面の簡単な説明】
【００７４】
【図１】本発明に係る録画システムの構成を示すブロック図である。
【図２】本発明に係る録画システムの特徴的な動作を示すフローチャートである。
【図３】本発明に係る録画システムの特徴的な動作を示すフローチャートである。
【図４】本発明に係る録画システムの特徴的な動作を示すフローチャートである。
【符号の説明】
【００７５】
１  録画システム
２  集中管理装置
３  録画装置
４  携帯電話機
５  ＰＣ
６  ケーブルテレビ網
７  ＩＰ網
８  付属端末
９  ＩＰ用送受信部
１１  制御部
１２  番組ＤＢ部
１３  データ入力部
１４  番組抽出部
１５  抽出情報制御部
１６  録画予約制御部
１７  送出部
２１  記憶部
２２  ＩＰ用送受信部
２４  表示データ制御部
２６  履歴情報制御部
２７  履歴情報蓄積部
２８  履歴情報解析部
３１  制御部
３２  受信部
３３  録画予約部
３４  記憶部
３５  収録部
３６  ＴＶチューナー
３７  入力部
３８  再生部
３９  表示制御部
【図１】
2007081464.tif 000003
【図２】
2007081464.tif 000004
【図３】
2007081464.tif 000005
【図４】
2007081464.tif 000006